(57)【要約】【課題】トッププレート上に置かれる載置物の影響、またはトッププレート上での調理物の吹き零れの影響を受け難くする。【解決手段】調理容器が載置されるトッププレート２と、トッププレート２の周縁部に取り付けられて、トッププレート２の外側に張り出すフレーム３と、トッププレート２の下方に配設された調理用の加熱手段と、加熱手段を制御する通電制御手段１１と、トッププレート２の下方に配設された通信用投光手段１２とを備え、通電制御手段１１は、通信用投光手段１２を介して、トッププレート２の上方に配設される換気装置２００を制御する機能を有し、通信用投光手段１２は、フレーム３に向かって発光するように配置され、フレーム３には、通信用投光手段１２が向けられた部位に、通信用投光手段１２からの発光信号を上方に向かって反射させる反射板１４を設けるとともに、反射板１４の上方に、発光信号を透過させる光透過窓３ｅを設ける。【選択図】図２
2015064981.tif 000002
【特許請求の範囲】
【請求項１】
調理容器が載置されるトッププレートと、
前記トッププレートの周縁部に取り付けられて、該トッププレートの外側に張り出すフレームと、
前記トッププレートの下方に配設された調理用の加熱手段と、
前記加熱手段を制御する通電制御手段と、
前記トッププレートの下方に配設された通信用投光手段とを備え、
前記通電制御手段は、前記通信用投光手段を介して、前記トッププレートの上方に配設される換気装置を制御する機能を有し、
前記通信用投光手段は、前記フレームに向かって発光するように配置され、
前記フレームには、前記通信用投光手段が向けられた部位に、前記通信用投光手段からの発光信号を上方に向かって反射させる反射板が設けられているとともに、該反射板の上方に、前記発光信号を透過させる光透過窓が設けられていることを特徴とする加熱調理器。
【請求項２】
前記トッププレートの前縁部の下方には、調理器を操作する静電容量式スイッチのタッチ検出基板が設置されており、前記通信用投光手段は、前側に位置するフレームに向かって発光するように前記タッチ検出基板の下面に取り付けられていることを特徴とする請求項１記載の加熱調理器。
【請求項３】
前記前側に位置するフレームの前記光透過窓には、前記発光信号の波長が透過する光透過性を有する材料で構成された光透過部材が上方に突出するように取り付けられていることを特徴とする請求項２記載の加熱調理器。
【請求項４】
前記通信用投光手段は、赤外線ＬＥＤであり、
前記光透過部材は、赤外線の波長が透過する光透過性を有する樹脂で構成され、かつ調理器内部が視認できないように、着色されていることを特徴とする請求項３記載の加熱調理器。
【請求項５】
前記前側に位置するフレームにおける前記光透過窓の周りに、該光透過窓から突出する前記光透過部材の高さよりも高くなるように突部が設けられていることを特徴とする請求項３又は４記載の加熱調理器。
【請求項６】
前記光透過窓は、前記加熱手段の中心を前方に投影した位置に配設されていることを特徴とする請求項３〜５のいずれか一項に記載の加熱調理器。
【請求項７】
前記フレームは、全周に亘って上面に隆起部が形成されており、前記前側に位置するフレームの前記光透過窓は、該隆起部に形成されていることを特徴とする請求項３〜６のいずれか一項に記載の加熱調理器。
【発明の詳細な説明】
【技術分野】
【０００１】
本発明は、トッププレートの周縁部に取り付けられて外側に張り出すフレームに、通信用投光部を備えた加熱調理器に関する。
【背景技術】
【０００２】
加熱調理器は、一般に、本体と、本体上面を覆う耐熱強化ガラス製のトッププレートと、トッププレートの下方に配設された調理用の加熱手段と、この加熱手段を制御する通電制御手段とを備えている。このようなものにおいて、トッププレートの下方に通信用投光手段（赤外線ＬＥＤ）を配設し、上方（トッププレート）に向け信号を発するようにしたものがある。そして、トッププレートには、赤外線ＬＥＤの上方に位置する部位に、印刷の施されていない赤外光透過部が設けられている。そして、通電制御手段は、赤外線ＬＥＤすなわち通信用投光部を介して、トッププレート上方に配設されている換気扇を制御できるようにしている。換気扇は、加熱調理器から送られた信号に基いて、換気扇をオン・オフしたり、換気扇の風量を切り換える（例えば、特許文献１参照）。
【先行技術文献】
【特許文献】
【０００３】
【特許文献１】特許第３７９７９０４号公報（請求項１、図１）
【発明の概要】
【発明が解決しようとする課題】
【０００４】
このように、換気扇を制御できる機能を有する従来の加熱調理器は、トッププレートの下方に赤外線ＬＥＤを配設し、上方に向け信号を発するように構成されている。そのため、トッププレートの領域内に赤外光透過部が存在し、この赤外光透過部が、例えば調理容器が加熱源からずれて置かれた場合に覆われてしまうことがある。その場合は、赤外線信号が遮断され、換気扇に信号を送ることができなくなり、換気扇における赤外線信号の受信性能が落ちるという問題があった。
【０００５】
また、調理容器からの吹き零れた調理物の汁によってトッププレート上の赤外光透過部が覆われてしまうことがあり、この場合も吹き零れた汁によって赤外線信号が遮断され、換気扇に信号を送ることができなくなり、換気扇における赤外線信号の受信性能が落ちるという問題があった。
【０００６】
本発明は、前記のような課題を解決するためになされたもので、トッププレート上に置かれる載置物の影響、またはトッププレート上での調理物の吹き零れの影響を受け難くすることを目的とする。
【課題を解決するための手段】
【０００７】
本発明に係る加熱調理器は、調理容器が載置されるトッププレートと、トッププレートの周縁部に取り付けられて、トッププレートの外側に張り出すフレームと、トッププレートの下方に配設された調理用の加熱手段と、加熱手段を制御する通電制御手段と、トッププレートの下方に配設された通信用投光手段とを備え、通電制御手段は、通信用投光手段を介して、トッププレートの上方に配設される換気装置を制御する機能を有し、通信用投光手段は、フレームに向かって発光するように配置され、フレームには、通信用投光手段が向けられた部位に、通信用投光手段からの発光信号を上方に向かって反射させる反射板が設けられているとともに、反射板の上方に、発光信号を透過させる光透過窓が設けられているものである。
【発明の効果】
【０００８】
本発明の加熱調理器においては、通信用投光手段が、フレームに向かって発光するように配置され、フレームには、通信用投光手段が向けられた部位に、通信用投光手段からの発光信号を上方に向かって反射させる反射板が設けられているとともに、反射板の上方に、発光信号を透過させる光透過窓が設けられているので、トッププレートの領域外から上方に向け発光信号を発することができる。このため、トッププレート上に置かれる載置物の影響、またはトッププレート上での調理物の吹き零れの影響を受け難くなり、換気扇との通信性能が安定する。
【図面の簡単な説明】
【０００９】
【図１】本発明の実施形態に係る加熱調理器の上面図である。
【図２】図１のＡ−Ａ線断面図である。
【図３】図２の部位を斜め上方より示す斜視図である。
【図４】本発明の実施形態に係る加熱調理器の反射板取付部を示す斜視図である。
【図５】本発明の実施形態に係る加熱調理器のフレームに形成した突部と、光透過窓および光透過部材との関係を示す光透過窓部の上面図および断面図である。
【発明を実施するための形態】
【００１０】
図１は本発明の実施形態に係る加熱調理器の上面図である。図２は図１のＡ−Ａ線断面図である。図３は図２の部位を斜め上方より示す斜視図である。図４は本発明の実施形態に係る加熱調理器の反射板取付部を示す斜視図である。図５は本発明の実施形態に係る加熱調理器のフレームに形成した突部と、光透過窓および光透過部材との関係を示す光透過窓部の上面図および断面図である。
本発明の実施形態に係る加熱調理器１００は、台所のキャビネットに組み込まれたビルトインタイプの加熱調理器であり、上方に配置された換気装置２００を通信用投光手段を介して制御する機能を有している。
【００１１】
本発明の実施形態に係る加熱調理器１００は、図１〜図３のようにその本体１が、上部に開口を有する矩形状箱体に形成されている。本体１の上部開口は、フレーム３が取り付けられたトッププレート２によって覆われている。フレーム３は、トッププレート２の周縁部に取り付けられて、トッププレート２の外側に張り出している。トッププレート２は、調理を行う際に上面に調理容器を載置するものであり、耐熱強化ガラスより構成され、その裏面には内部が見えないように印刷が施されている。また、トッププレート２の表面には、トッププレート２の下方に配設された調理用の加熱手段（図示せず）の位置を示す、つまり被加熱物である調理容器を加熱する位置を示す円形の加熱手段Ｈ１，Ｈ２，Ｈ３が印刷等の方法で表示されている。フレーム３は、前フレーム３ａ、後フレーム３ｂ、左フレーム３ｃ、および右フレーム３ｄによって構成され、枠状に形成されている。後フレーム３ｂには、吸気口４と排気口５が設けられている。なお、吸気口４と排気口５は、本体１の背面に設けてもよいものである。
【００１２】
トッププレート２の前縁部の上面には、調理器を操作する静電容量式スイッチのキー（タッチ入力部）６が複数設けられている。また、トッププレート２のキー６の下方には、静電容量式スイッチのタッチ検出基板７が配置されている。さらにタッチ検出基板７の下方には、基板ホルダー８が配置され、基板ホルダー８とタッチ検出基板７との間に弾性体９が配設されている。弾性体９は、タッチ検出基板７をトッププレート２に密着するように押し上げることで、タッチ検出基板７とトッププレート２との間のギャップを減らすことを目的に設けられたものである。これによって、トッププレート２の表面のキー６に指が触れた際の静電容量の変化を捉え易くし、タッチ検知精度を向上させている。
【００１３】
タッチ検出基板７は、図２のように通電制御手段１１に配線で接続されており、通電制御手段１１は、タッチ検出基板７の検知結果に基づいて加熱手段を制御する機能を有している。また、通電制御手段１１は、トッププレート２の上方に配設される換気装置２００を、通信用投光手段を介して制御する機能を有している。
【００１４】
通信用投光手段は、図２および図３に示すように、前フレーム３ａに向かって発光するように配置されてタッチ検出基板７の下面（裏面）に取り付けられた赤外線ＬＥＤ１２で構成されている。このため、ここでは赤外線ＬＥＤ１２の専用の基板が不要となっている。
【００１５】
また、前フレーム３ａの内側に配置されたベースフレーム１３の赤外線ＬＥＤ１２が向けられた部位（光軸上）には、図２〜図４のように赤外線ＬＥＤ１２からの発光信号を透過させる切欠き１３ａが形成されている。また、ベースフレーム１３の切欠き１３ａの奥には、赤外線ＬＥＤ１２からの発光信号を、トッププレート２の上方に配設される換気装置２００の換気扇受光部２０１に向けて反射させる横長の反射板１４が設けられている。反射板１４は、その長手両端部に側壁１４ａ，１４ｂが設けられている。側壁１４ａ，１４ｂは、赤外線ＬＥＤ１２からの光線が光軸に対し左右方向に広がり、反射板１４の左右端から漏れる分の光線を側壁１４ａ、１４ｂで反射させて、反射板１４の中央の反射面に集める機能を有する。これにより、反射板１４の左右端から漏れる光線も換気装置２００に向けて反射させることができる。換気装置２００の換気扇受光部２０１は、ファン制御手段２０２に接続されている。ファン制御手段２０２は、加熱調理器１００から送られてきた信号に基いて、換気扇をオン・オフしたり、換気扇の風量を切り換える機能を有する。
【００１６】
赤外線ＬＥＤ１２からの発光信号が前方に向かって出されるように赤外線ＬＥＤ１２を配置する理由は、トッププレート２の周縁に取り付けられているフレーム３のうち、赤外線ＬＥＤ１２に一番近いフレームが前フレーム３ａであるためである。これは、赤外線ＬＥＤ１２が、トッププレート２の前縁部の下方に配置されたタッチ検出基板７に取り付けられているためである。これによって、赤外線ＬＥＤ１２からトッププレート２の領域外までの距離を最短とすることができ、その分、光の減衰を抑えることができる。
【００１７】
また、赤外線ＬＥＤ１２を、側方（例えば右側）に配置した場合は、赤外線ＬＥＤ１２からの発光信号が右フレーム３ｄに向かって出されるように基板（例えば専用基板）に取り付ける。この場合も、赤外線ＬＥＤ１２からトッププレート２の領域外までの距離を最短とすることができ、その分、光の減衰を抑えることができる。つまり、赤外線ＬＥＤ１２は、これが配置されている位置に一番近い側のフレームに向けて発光信号が出されるように設置される。
【００１８】
前フレーム３ａは、反射板１４の上方に、赤外線ＬＥＤ１２からの発光信号を透過させる矩形状の光透過窓３ｅを有している。光透過窓３ｅには、赤外線ＬＥＤ１２からの発光信号の波長（９４０ｎｍ付近の波長域）が透過する光透過性を有する材料（例えばポリカーボネート樹脂）で構成された光透過部材１５が、当該光透過窓３ｅよりも上方に突出するように裏側から取り付けられている。光透過窓３ｅは、図１に示すように、前フレーム３ａにおける各加熱手段の中心を前方に投影した位置、換言すれば各加熱手段の中心を通り前フレーム３ａと垂直に交わる線Ｃ１，Ｃ２，Ｃ３上の前フレーム３ａとの交点部に配設されている。これらによって、弱視の者が触感にて光透過部材１５の位置を知ることができ、光透過部材１５の位置から加熱手段の位置を推定できるようにしている。また、光透過部材１５によって反射板１４が覆われて露出しないため、反射板１４の汚染を防止できる。更に、光透過部材１５の光透過特性によって、光透過部材１５を通過する赤外線信号が減衰するのを抑制できる。
【００１９】
また、光透過部材１５は、調理器内部が視認できないように、着色されている。このため、デザイン性を向上させることができる。
【００２０】
フレーム３には、図２および図３に示すように全周に亘って上面に隆起部３ｈが形成されており、前フレーム３ａの光透過窓３ｅは、隆起部３ｈに形成されている。
【００２１】
また、前フレーム３ａにおける光透過窓３ｅの周り（光透過窓３ｅの長手両端側）には、光透過窓３ｅから突出する光透過部材１５の高さよりも高くなるように突部３ｆ，３ｇが設けられている。これによって、調理容器が誤って前フレーム３ａの光透過窓３ｅ上に載置された場合、調理容器の底が突部３ｆ，３ｇに当たり、光透過部材１５に接触せず、光透過部材１５の傷付きを防止することができる。
【００２２】
次に、本発明の実施形態に係る加熱調理器１００の作用を説明する。
加熱調理器１００を使用する場合、使用者は、静電容量式スイッチのキー（タッチ入力部）６の中から電源キーを選択し、指で触れ、オンさせた状態とする。そして、加熱手段Ｈ１，Ｈ２，Ｈ３の中から、使用する加熱手段の上（トッププレート上）に調理容器を載置した状態で、対応するキーを操作（指で触れる）し、火力を設定する。このキー操作はタッチ検出基板７で検知され、検知結果は通電制御手段１１に入力される。これによって、通電制御手段１１は、選択された加熱手段を設定された火力となるように通電制御する。選択された加熱手段は、設定された火力となるように制御される。また、通電制御手段１１は、タッチ検出基板７の配線で赤外線ＬＥＤ１２と接続されており、タッチ検出基板７の検知結果に基いて赤外線ＬＥＤ１２を点灯制御する。
【００２３】
赤外線ＬＥＤ１２が発光すると、この発光信号が、トッププレート２の外側（領域外）に張り出している前フレーム３ａに配置されている反射板１４に向けて発信され、反射板１４で上方に反射され、換気扇受光部２０１に向けて発せられる。
【００２４】
赤外線ＬＥＤ１２からの発光信号が前フレーム３ａの反射板１４を介して換気扇受光部２０１にて受信されると、換気装置２００のファン制御手段２０２は、その受信信号に基づいてファンモータ（図示せず）を駆動制御する。このとき、ファン制御手段２０２は、加熱調理器１００の加熱手段の設定された火力に応じて、ファンモータの回転数を制御して排気風量を制御する。
【００２５】
本発明の実施形態に係る加熱調理器１００は、以上のように構成され、赤外線ＬＥＤ１２からの発光信号を、トッププレート２の外側（領域外）に張り出している前フレーム３ａに配置した反射板１４に向けて発信し、反射板１４で上方に反射し、換気扇受光部２０１に向かわせるようにしている。通常、調理容器はトッププレート２の領域内に置かれる。そのため、調理容器が光透過窓３ｅを覆ってしまう可能性が低くなり、赤外線ＬＥＤ１２からの発光信号が調理容器によって遮断されることが少なくなる。そのため、換気装置２００との通信性能が安定する。
【００２６】
また、調理容器からの吹き零れがあっても、吹き零れた調理物の汁が、トッププレート２の外側（領域外）に張り出している前フレーム３ａまで流れる可能性は、トッププレート２の領域内に吹き零れる場合と比べて低いので、赤外線ＬＥＤ１２からの発光信号が吹き零れた調理物の汁によって遮断されることが少なくなる。そのため、換気装置２００との通信性能が安定する。
【００２７】
また、本発明の実施形態に係る加熱調理器１００は、前フレーム３ａの光透過窓３ｅが隆起部３ｈに形成されているため、隆起部３ｈが堤となり、調理容器がフレーム３とトッププレート２とに跨がるように置かれる可能性は低くなる。すなわち、調理容器をフレーム３とトッププレート２とに跨がるように置いた場合、トッププレート２の上面とフレーム３の上面との間には段差があるため、調理容器が傾いてしまう。そのため、使用者が調理容器の一部をフレーム３上に置いたことに気付きやすくなるからである。その結果、使用者は調理容器をフレーム３上から移動することになり、調理容器が光透過窓３ｅを覆ってしまう可能性も低くなる。そのため、赤外線ＬＥＤ１２からの発光信号が調理容器によって遮断されることが更に少なくなり、換気装置２００との通信性能が更に安定する。
【００２８】
また、調理容器からの吹き零れがあっても、吹き零れた調理物の汁は、隆起部３ｈが堤となって光透過窓３ｅへの浸入が阻止される。そのため、赤外線ＬＥＤ１２からの発光信号が吹き零れた調理物の汁によって遮断されることが更に少なくなり、換気装置２００との通信性能が更に安定する。
【００２９】
なお、前述の実施形態では通信用投光手段として９４０ｎｍ付近の波長域の光を発光する赤外線ＬＥＤ１２を用いたものを例に挙げて説明したが、他の波長域の光を発光する発光手段を使用してもよい。
【００３０】
また、トッププレート２の下方に配設される調理用の加熱手段としては、誘導加熱コイルおよびシーズヒーターのいずれでも使用可能である。
【符号の説明】
【００３１】
１  本体、２  トッププレート、３  フレーム、３ａ  前フレーム、３ｂ  後フレーム、３ｃ  左フレーム、３ｄ  右フレーム、３ｅ  光透過窓、３ｆ，３ｇ  突部、３ｈ  隆起部、４  吸気口、５  排気口、６  キー、７  タッチ検出基板（基板）、８  基板ホルダー、９  弾性体、１１  通電制御手段、１２  赤外線ＬＥＤ（通信用投光手段）、１３  ベースフレーム、１３ａ  切欠き、１４  反射板、１４ａ，１４ｂ  側壁、１５  光透過部材、１００  加熱調理器、２００  換気装置、２０１  換気扇受光部、２０２  ファン制御手段、Ｈ１，Ｈ２，Ｈ３  加熱手段。
【図１】
2015064981.tif 000003
【図２】
2015064981.tif 000004
【図３】
2015064981.tif 000005
【図４】
2015064981.tif 000006
【図５】
2015064981.tif 000007